(57)【要約】【課題】間仕切り基礎を不要とするパネル化工法が適用された床下地構造における間仕切り構造を提供する。【解決手段】独立柱１が、スリット状の切り込み１ｂとピン打ち込み用透孔とを下端部１ａに有し、スリット状の切り込み１ｂに柱支持部材１０の垂直板１２を差し込み、垂直板１２に設けられた受け板１４，１５により柱１下端を受けた状態で、ピン打ち込み用透孔に打ち込みピン１６を打ち込んで独立柱１を支持するものである。また、柱支持部材１０は独立基礎２０により支持する。【選択図】図１
2009263886.tif 000002
【特許請求の範囲】
【請求項１】
床パネルを配設して床下地が形成される床構造における間仕切り構造であって、
独立柱と、前記独立柱の基端を支持する柱支持部材と、前記柱支持部材を支持する独立基礎とを備え、
前記独立柱が、スリット状の切り込みとピン打ち込み用透孔とを下端部にを有し、
前記柱支持部材が、切り込みに差し込まれる垂直板と、ベースプレートと、打ち込みピンとを有し、
前記垂直板が、同垂直板を挟んで対向配置された受け板と、前記打ち込みピン用透孔とを有し、
前記打ち込みピンが、前記独立柱の下端部のピン打ち込み用透孔に打ち込まれて同独立柱の固定がなされる
ことを特徴とする間仕切り構造。
【請求項２】
打ち込みピンの垂直板のピン打ち込み用透孔と嵌合される部分に抜け防止加工がされてなることを特徴とする請求項１記載の間仕切り構造。
【請求項３】
受け板が、レベル調整可能に垂直板に設けられてなることを特徴とする請求項１記載の間仕切り構造。
【請求項４】
床パネルを配設して床下地が形成される床構造における間仕切り構造であって、
間仕切り部の一側が洋室とされ、他側が和室とされ、
洋室床パネルが間仕切り部まで延伸され、前記延伸された端部を間仕切り部支持部によりバリアフリーとなるよう支持してなることを特徴とする間仕切り構造。
【請求項５】
床パネルを配設して床下地が形成される床構造における間仕切り構造であって、
間仕切り部の一側が洋室とされ、他側が和室とされ、
和室床パネルが間仕切り部まで延伸され、前記延伸された端部を間仕切り部支持部によりバリアフリーとなるよう支持してなることを特徴とする間仕切り構造。
【請求項６】
間仕切り部支持部は、土台側支持部材と、所要数の鋼製束とを含むことを特徴とする請求項４または５記載の間仕切り構造。
【請求項７】
土台側支持部材が、床パネルを受ける受け板と、該受け板を支持する本体とを備えてなることを特徴とする請求項６記載の間仕切り構造。
【請求項８】
本体が、土台側断熱材を保持する土台側断熱材保持部を有してなることを特徴とする請求項７記載の間仕切り構造。
【請求項９】
鋼製束が、洋室床パネルを支持する受け板と、該受け板に載置されて和室床パネルを支持する和室床パネル支持部材とを有することを特徴とする請求項６記載の間仕切り構造。
【請求項１０】
和室床パネル支持部材が、和室床パネルの端部を支持するホーク状とされた下部水平板を有し、
前記下部水平板の両面に板材が配設されてなる
ことを特徴とする請求項９記載の間仕切り構造。
【請求項１１】
受け板が台状部を有し、
和室床パネル支持部材が、前記受け板に載置される上部水平板を有し、
前記上部水平板が、前記台状部を露出させる窓を有してなる
ことを特徴とする請求項９記載の間仕切り構造。
【請求項１２】
鋼製束が、和室床パネルを支持する受け板と、該受け板に載置されて洋室床パネルを支持する洋室床パネル支持部材とを有することを特徴とする請求項６記載の間仕切り構造。
【請求項１３】
洋室床パネル支持部材が、洋室床パネルの端部を支持するホーク状とされた上部水平板を有し、
前記上部水平板の両面に板材が配設されてなる
ことを特徴とする請求項１２記載の間仕切り構造。
【請求項１４】
受け板が台状部を有し、
洋室床パネル支持部材が、前記受け板に載置される下部水平板を有し、
前記下部水平板が、前記台状部を露出させる窓を有してなる
ことを特徴とする請求項１２記載の間仕切り構造。
【発明の詳細な説明】
【技術分野】
【０００１】
本発明は、間仕切り構造に関する。さらに詳しくは、間仕切り基礎が不要とされた戸建て住宅の床構造に適用される間仕切り構造に関する。
【背景技術】
【０００２】
従来より、在来工法による戸建住宅の床構造１００においては、図１６に示すように、布基礎１０１の上に配設された土台１０２，１０２間に大引１０３を配設して鋼製束（図示省略）により適宜支持し、かつ大引１０３，１０３間に適宜間隔で補強梁１０４を配設し、しかる後大引１０３および補強梁１０４間の空間に断熱材１０５を配設し、ついで大引１０３および補強梁１０４の上に構造用合板からなる床下地材１０６を配設して床下地を形成することがなされている。
【０００３】
そのため、在来工法による戸建住宅の床構造１００は複雑であるとともに、施工が煩雑でその施工期間も長いという問題がある。
【０００４】
また、図１６（ｂ）に示すように、洋室と和室などとの間仕切り部の床下には、間仕切り基礎１１０を設け、その間仕切り基礎１１０の上に土台１０２を配設するという構成とされている。
【０００５】
この間仕切り基礎１１０には、図１６（ｂ）に示すように、メンテナンス用の切欠き１１１は設けられているものの、その間仕切り基礎１１０全体における割合は極めて少なく、また、同図に示すように、床裏面には凹凸がある。そのため、通気性もよくなく、床下における換気は充分になされないおそれがある。
【０００６】
かかる従来の床構造の欠点を解消すべく、本願出願人は、既に、間仕切り基礎を不要とできるパネル化工法による床下地構造を提案している。
【０００７】
しかしながら、その床下地構造においては、間仕切り基礎が存在しないため、間仕切り部の構成をいかにすべきかが問題となる。
【発明の開示】
【発明が解決しようとする課題】
【０００８】
本発明はかかる課題に鑑みなされたものであって、間仕切り基礎を不要とするパネル化工法が適用された床下地構造における間仕切り構造を提供することを目的としている。
【課題を解決するための手段】
【０００９】
本発明の間仕切り構造の第１形態は、床パネルを配設して床下地が形成される床構造における間仕切り構造であって、独立柱と、前記独立柱の基端を支持する柱支持部材と、前記柱支持部材を支持する独立基礎とを備え、前記独立柱が、スリット状の切り込みとピン打ち込み用透孔とを下端部にを有し、前記柱支持部材が、切り込みに差し込まれる垂直板と、ベースプレートと、打ち込みピンとを有し、前記垂直板が、同垂直板を挟んで対向配置された受け板と、前記打ち込みピン用透孔とを有し、前記打ち込みピンが、前記独立柱の下端部のピン打ち込み用透孔に打ち込まれて同独立柱の固定がなされてなることを特徴とする。
【００１０】
本発明の間仕切り構造の第１形態においては、打ち込みピンの垂直板のピン打ち込み用透孔と嵌合される部分に抜け防止加工がされていたり、受け板が、レベル調整可能に垂直板に設けられていたりするのが好ましい。
【００１１】
本発明の間仕切り構造の第２形態は、床パネルを配設して床下地が形成される床構造における間仕切り構造であって、間仕切り部の一側が洋室とされ、他側が和室とされ、洋室床パネルが間仕切り部まで延伸され、前記延伸された端部を間仕切り部支持部によりバリアフリーとなるよう支持してなることを特徴とする。
【００１２】
本発明の間仕切り構造の第３形態は、床パネルを配設して床下地が形成される床構造における間仕切り構造であって、間仕切り部の一側が洋室とされ、他側が和室とされ、和室床パネルが間仕切り部まで延伸され、前記延伸された端部を間仕切り部支持部によりバリアフリーとなるよう支持してなることを特徴とする。
【００１３】
本発明の間仕切り構造の第２および第３形態においては、間仕切り部支持部は、土台側支持部材と、所要数の鋼製束とを含むものとされるのが好ましい。
【００１４】
また、本発明の間仕切り構造の第２および第３形態においては、土台側支持部材が、床パネルを受ける受け板と、該受け板を支持する本体とを備えてなるのが好ましい。その場合、本体が、土台側断熱材を保持する土台側断熱材保持部を有してなるのがさらに好ましい。
【００１５】
また、本発明の間仕切り構造の第２形態においては、鋼製束が、洋室床パネルを支持する受け板と、該受け板に載置されて和室床パネルを支持する和室床パネル支持部材とを有するのが好ましい。その場合、和室床パネル支持部材が、和室床パネルの端部を支持するホーク状とされた下部水平板を有し、前記下部水平板の両面に板材が配設されていたり、  受け板が台状部を有し、和室床パネル支持部材が、前記受け板に載置される上部水平板を有し、前記上部水平板が、前記台状部を露出させる窓を有していたりするのがさらに好ましい。
【００１６】
また、本発明の間仕切り構造の第３形態においては、鋼製束が、和室床パネルを支持する受け板と、該受け板に載置されて洋室床パネルを支持する洋室床パネル支持部材とを有するのが好ましい。その場合、洋室床パネル支持部材が、洋室床パネルの端部を支持するホーク状とされた上部水平板を有し、前記上部水平板の両面に板材が配設されていたり、      受け板が台状部を有し、洋室床パネル支持部材が、前記受け板に載置される下部水平板を有し、前記下部水平板が、前記台状部を露出させる窓を有していたりするのが好ましい。
【発明の効果】
【００１７】
本発明によれば、間仕切り部に間仕切り基礎が存在しないため、間仕切り部があっても間仕切り部により床パネルが分断されることなく床パネルの配設がなし得るという優れた効果が得られる。つまり、床全面におけるいわゆる床先行が実現されるという優れた効果が得られる。
【発明を実施するための最良の形態】
【００１８】
以下、添付図面を参照しながら本発明を実施形態に基づいて説明するが、本発明はかかる実施形態のみに限定されるものではない。
【００１９】
実施形態１
本発明の実施形態１に係る間仕切り構造Ｋを図１に示す。なお、この実施形態１は、間仕切り壁を介して洋室が二部屋形成される箇所に独立柱１が設けられた間仕切り構造Ｋとされる。
【００２０】
間仕切り構造Ｋは、図１に示すように、独立柱１基端を支持する柱支持部材１０と、柱支持部材１０を支持する独立基礎２０とを備えてなるものとされる。なお、図中の符号Ｐは床パネルを示す。
【００２１】
柱支持部材１０は、図１および図２に示すように、独立柱１の下端部１ａにスリット状に形成された切り込み１ｂに差し決まれる垂直板１２およびベースプレート１３を逆Ｔ字状に構成してなる主部１１と、垂直板１２両面の適宜位置に取付けられ独立柱１の下端を受ける対向配置された受け板１４，１５と、独立柱１の下端部１ａに打ち込まれる打ち込みピン１６とを備えてなるものとされる。
【００２２】
垂直板１２は、長方形状とされ、上部中央に打ち込みピン１６が挿通される透孔１２ａが垂直方向に一対所定間隔で設けられ、中央の適宜位置に受け板１４，１５をボルト・ナット留めするための透孔、例えば縦長の長孔１２ｂが一対水平配列にて所定間隔で設けられている。
【００２３】
ベースプレート１３は、長方形状とされ、垂直板１２を挟んでアンカーボルト挿通用の透孔１３ａ，１３ｂが対向配置にて形成されている。
【００２４】
受け板１４，１５は、幅が垂直板１２の幅と同一とされた長方形状板を逆Ｌ字状に折り曲げ成形してなるものとされ、その垂直部１４ａ，１５ａには、垂直板１２に設けられた透孔に対応させてボルト孔（図示省略）が形成されている。そして、その受け板１４，１５をその垂直部１４ａ，１５ａを水平部１４ｂ，１５ｂが上側となるようにして垂直板１２を挟んでボルト・ナット留めされている。ここで、垂直板１２に形成された透孔が縦長の長孔１２ｂとされている場合、現場にて水平部１４ｂ，１５ｂのレベル調整が可能となる。
【００２５】
受け板１４，１５の水平部１４ｂ，１５ｂの上面には、独立柱1の下端を固定するための粘着テープ１７が貼付されている。
【００２６】
打ち込みピン１６は、打ち込まれる独立柱１の幅とほぼ同じとされる。また、垂直板１２の透孔１２ａに嵌合される部分にローレット加工部１６ａが形成され、その抜け防止が図られている。なお、抜け防止加工はローレット加工に限定されるものではない。
【００２７】
独立基礎２０は、一対のアンカーボルト２１，２２を備えるとともに、明瞭には図示はされていないが、天端に耐衝撃性に優れたパッキン、例えば基礎パッキン（登録商標）が載置されてなるものとされる。
【００２８】
このように、この実施形態１においては、間仕切り部に独立柱１が設けられているところから、独立柱１周りの床パネルＰは、図３や図４に示すように、独立柱１を挟むように切り欠きＰｃが設けられている。
【００２９】
すなわち、図３に示す例では、縦列配置された一方の床パネルＰの独立柱側前端部の独立柱１に対応する箇所に正方形状の切り欠きがＰｃ設けられるとともに、他方の床パネルＰの独立柱側後端部の独立柱１に対応する箇所にも正方形状の切り欠きＰｃが設けられている。
【００３０】
あるいは、図４に示す例では、並列配置された一方の床パネルＰの独立柱側側端部の独立柱１に対応する箇所に正方形状の切り欠きＰｃが設けられるとともに、他方の床パネルＰの独立柱側側端部の独立柱１に対応する箇所にも正方形状の切り欠きＰｃが設けられている。
【００３１】
図５に、床パネルＰの一例を示す。
【００３２】
床パネルＰは、図５に示すように、正方形状とされ、例えば合板からなる床下地板材３１の一辺側裏面（図示例では上辺側裏面）に、所定量突出させて配設された長方形状の例えば合板からなる第１連結板材３２と、床下地板材の前記一辺と直交する一辺裏面（図示例では右辺側裏面）に、所定量突出させて配設された長方形状の例えば合板からなる第２連結板材３３と、床下地板材３１の中央裏面に配設された長方形状の例えば合板からなる補強板材３４と、床下地板材３１裏面に配設された第１断熱材３５と、第１断熱材裏面３５、第１連結板材３２、第２連結板材３３および補強板材３４裏面に配設された第２断熱材３６とを有するものとされる。
【００３３】
床パネルＰがかかる構成とされていることにより、つまり主要部材が合板とされていることにより、前記切り欠きＰｃは、施工現場において現物合わせにて容易に形成することができる。
【００３４】
次に、かかる構成とされた間仕切り構造Ｋの施工について説明する。
【００３５】
手順１：柱支持部材１０を独立基礎２０に据え付ける。
【００３６】
手順２：独立柱１を柱支持部材１０に据え付ける。つまり、独立柱１の下端部１ａに設けられたスリット１ｂに垂直板１２を柱１下端が受け板１４，１５に当接するまで差し込み、ついで打ち込みピン１６を打ち込む。
【００３７】
この後、床パネルＰの配設がなされて床下地が形成される。
【００３８】
このように、この実施形態１においては、間仕切り部に独立柱１が存在しても、間仕切り基礎を不要とできるので、床下の構成の簡素化が図られ、その通気性も向上する。
【００３９】
実施形態２
本発明の実施形態２に係る間仕切り構造Ｋ１を図６に示す。この実施形態２は、洋室と和室とをいわゆるバリアフリーとし、かつ、洋室床パネルＰＥと和室床パネルＰＪとは、その裏面もフラットになるようその厚みが調整されている間仕切り部における間仕切り構造Ｋ１とされる。
【００４０】
間仕切り構造Ｋ１は、図６に示すように、洋室床パネルＰＥが間仕切り部にまで延伸され、その延伸された部分を間仕切り部支持部ＭＳにより支持してなるものとされる。図６中、符号Ｆはフローリングを示し、符号Ｍは間仕切り壁を示し、符号Ｔは畳を示し、符号ＰＥｉは洋室床パネル断熱材を示し、ＰＪｉ和室床パネル断熱材を示す。
【００４１】
間仕切り部支持部ＭＳは、具体的には、間仕切り部の土台２，２間に配設され床パネルＰを支持する所要数の間仕切り部鋼製束４と、土台２側面に配設され床パネルＰの側面を支持する土台側支持部材６とを含むものとされる（図１３参照）。
【００４２】
図７〜図１１に、間仕切り部鋼製束（以下、単に鋼製束という）４を示す。
【００４３】
鋼製束４は、図７〜図１１に示すように、上部に位置するに正方形状の合板からなる受け板４１と、その下部に位置する平面視が正方形状とされた束断熱材４２と、束本体４３と、受け板４１の上面に載置され和室床パネルＰＪの端部を支持する和室床パネル支持部材５とを有するものとされる。
【００４４】
受け板４１およびの束断熱材４２の各一辺の長さは、第２連結板材３３の幅と同一とされている。
【００４５】
また、受け板４１は、中央に束本体４３の胴４４を挿通するための透孔４１ａが貫通形成され、その上面は中央部が円形台状に突出させられ円形台状部４１ｂとされている。円形台状部４１ｂの突出距離、つまり厚みは、和室床パネル支持部材５が円形台状部４１ｂと面一で受け板４１に載置されるよう調整されている（図１０参照）。なお、突出させる形状は円形に限定されるものではなく、適宜とでき、例えば八角形とすることもできる。
【００４６】
しかして、この円形台状部４１ｂを利用して洋室床パネルＰＥの間仕切り側端部が受け板４１にビス留めされる。図６中にビス留め位置を中心線で簡略化して示す。
【００４７】
透孔４１ａの上端部は、胴４４上端部をラッパ状に拡径加工できるようにするため逆円錐台状とされている。胴４４上端部をラッパ状とすることにより、受け板４１の胴４４上端からの抜けが防止される。また、胴４４上部の受け板４１の下面に対応する位置には、ビード加工によるビード４４ａが形成されて受け板４１のずり落ち防止が図られている。
【００４８】
束断熱材４２は中央に胴４４貫通用の透孔４２ａが設けられた角型ブロック体とされる。また、束断熱材４２下面は、洋室床パネルＰＥの断熱材ＰＥｉ下面と面一となるようその断熱性能および厚みが調整されている。
【００４９】
束本体４３は、前記胴４４と、胴４４下端部に嵌合されたブッシュナット４５と、ブッシュナット４５に螺合された昇降ボルト４６と、昇降ボルト４６を回転自在に保持するベースプレート４７と、ロックナット４８とを有するものとされ、昇降ボルト４６を適宜回転させることにより受け板４１のレベル調整がなされる。
【００５０】
ロックナット４８とブッシュナット４５との間には、ロックナット４８の緩みを防止するためにバネ座金４８ａが介装されている。
【００５１】
ベースプレート４７の昇降ボルト４６の回転自在な保持は、図７に示すように、ベースプレート４７の中央に、透孔４７ｂを中央に有する突出部４７ａを形成し、この透孔４７ｂの周縁部を頭部４６ａに設けられたかしめ部材４６ｂによりかしめることによりなされている。これにより、昇降ボルト４６の６角形状とされた頭部４６ａがベースプレート４７に回転自在に載置されることになる。
【００５２】
この場合、透孔の周縁部と頭部との摩擦を低減して昇降ボルトの回転を円滑にするため、図示例のように、頭部４６ａと透孔４７ｂの周縁部との間にテフロンワッシャー４７ｃが介装されるのが好ましい。
【００５３】
ベースプレート４７の突出部４７ａの周囲には、ベースプレート４７をコンクリート基礎に固定するための接着剤を収納する突出部４７ｄが所要数（図示例では８条）放射状に形成されている。また、ベースプレート４７の四隅には、コンクリート釘用の透孔４７ｅが形成されている。
【００５４】
図１０および図１１に、和室床パネル支持部材５を示す。図１０中、符号＋は床パネルＰを固定するビスの挿通位置を示す。
【００５５】
和室床パネル支持部材５は、図１０および図１１に示すように、鋼板を階段状に折り曲げ成形してなるものであって、受け板４１上面に載置される上部水平板５１と、和室床パネルＰＪの端部を支持する下部水平板５２と、上部水平板５１と下部水平板５２とを連結する垂直板５３とを含み、下部水平板５２の表裏両面に合板５４，５５が配置されてなるものとされる。
【００５６】
上部水平板５１は、中央部が所定形状、例えば変形八角形状に切り欠かれた切り欠き部５１ａを有し、受け板４１上面の円形台状部４１ｂと干渉しないようにされている。つまり、切り欠き部５１ａは円形台状部４１ｂを露出させる窓とされている。また、四隅には、和室床パネル支持部材５を受け板４１にビス留めするための透孔５１ｂが形成されている。
【００５７】
下部水平板５２は、中間部が長方形状に切り欠かれてホーク状とされている。このホーク状とされた箇所には、下部水平材５２の表裏両面に配置された合板５４，５５をビス留めするための透孔５２ａが２個所定間隔で形成されている。この下部水平板５２のレベルは、和室床パネルＰＪのレベルがバリアフリーとなるよう調整されている。
【００５８】
しかして、この切り欠き部５２ｂを利用して和室床パネルＰＪの端部が合板５４，５５にビス留めされる。
【００５９】
図１２に、土台側受け部材６を示す。
【００６０】
土台側受け部材６は、図に示すように、床パネルＰの側端部をビス留めするための合板からなる長方形状の受け板６１と、受け板６１を支持する本体６２とを有するものとされ、洋室床パネルＰＥの間仕切り側の側端角部、および和室床パネルＰＪの間仕切り側の側端角部を受けるようその位置決がなされ土台２内側面に配設されている。
【００６１】
本体６２は、鋼板を折り曲げ成形してなるものであって、土台２内側面に当接される当接部６３と、当接部６３の両端から内側（土台と反対側）に向けて起立状に形成された起立部６４と、起立部６４の上端から外方に向けて水平に折り曲げ形成された受け部６５と、起立部６４の下端中央部から外方に向けて水平に折り曲げ形成された土台側断熱材保持部６６とを有するものとされる。
【００６２】
当接部６３には、本体６２を土台２内側に固定するためのビス孔６３ａが所要数所定配列（図示例では３個が千鳥配列）にて設けられている。
【００６３】
受け部６５には、受け板６１をビス留めするためのビス孔６５ａが所要数所定配列（図示例では２個が縦列状配列）にて設けられている。
【００６４】
次に、かかる構成とされた間仕切り構造Ｋ１の施工手順の要部について説明する。なお、この例においては、間仕切り部の施工は、間仕切り部に位置する洋室床パネルＰＥおよび和室床パネルＰＪ以外の洋室床パネルつまり洋室床下地本体部分、および和室床パネルつまり和室床下地本体部分の配設が完了した後になされるものとされている。
【００６５】
手順１：土台２内側に土台側受け部材６を所定位置取付ける。なお、この取付は、一般的には、洋室床下地本体部分および和室床下地本体部分の施工の際に併せて行われる（図１３参照）。図１３中、符号７は土台側断熱材を示す。
【００６６】
手順２：一方の土台２側に洋室床パネルＰＥを配設する。つまり、間仕切り部と反対側の洋室床パネルＰＥの端部を洋室床下地本体部分の洋室床パネルの端部に載置し、側端部を土台側受け部材６に載置し、その載置した箇所を適宜ピッチでビス留めする。このビス留めは、接合強度が増大する効果が得られるところから、接着剤を載置する箇所に塗布した後になされるのが好ましい。つまり、接着剤を併用してビス留めするのが好ましい。
【００６７】
手順３：配設された洋室床パネルＰＥの開放されている角部、より具体的には、第２連結板材３３の間仕切り部側端部を鋼製束４により支持し、その角部を円形台状部４１ｂにビス留めする。このビス留めも接着剤を併用してなすのが好ましい。この場合、工場にて受け板４１に和室床パネル支持部材５がセットされていないときには、そのセットを行った後に洋室床パネルＰＥを支持する。
【００６８】
手順４：洋室床パネルＰＥが配設された一方の土台２側に和室床パネルＰＪを配設する。つまり、間仕切り部と反対側の和室床パネルＰＪの端部を和室床下地本体部分の和室床パネルの端部に載置し、側端部を土台側受け部材６に載置し、間仕切り部側の端部、より具体的には床下地板材３１角部を、和室床パネル支持部材５、より具体的には下部水平板５２に配設された合板５４に載置し、その載置した箇所を適宜ピッチでビス留めする。このビス留めも、接合強度が増大する効果が得られるところから、接着剤を載置する箇所に塗布した後になされるのが好ましい。つまり、接着剤を併用してビス留めするのが好ましい。
【００６９】
以下、同様に手順を繰り返して他方の土台２側まで洋室床パネルＰＥおよび和室床パネルＰＪを配設する。
【００７０】
以上の手順により、間仕切り部の床パネルＰの配設が完了し、洋室および和室の床下地が完成する。
【００７１】
しかる後、洋室には例えばフローリングＦがなされる一方、和室には畳Ｔが敷かれたり、襖レールが敷かれたりする。
【００７２】
このように、この実施形態２によれば、間仕切り基礎を設けることなく、床下地裏面をフラットにしながら間仕切り部をバリアフリーで形成することができる。
【００７３】
また、洋室床下地の裏面レベルと、和室床下地の裏面レベルが同一とされているので、床下における凹凸がなくなり、床下の通気性および作業性が向上する。
【００７４】
さらに、ビス留めは合板に対してのみなされるので、ビスを木質系ビス、例えばコーススレッドスクリュー一種とすることができる。そのため、品質管理が簡素化されるとともに、ビスの取り違えによる不良品の発生が皆無となり歩留まりが向上するとともに、作業能率も向上する。
【００７５】
実施形態３
本発明の実施形態３に係る間仕切り構造Ｋ２を図１４に示す。この実施形態３は、実施形態２を改変してなるものであって、和室床パネルＰＪを間仕切り部まで延伸し、その延伸された端部を間仕切り部支持部ＭＳにより支持してなるものとされる。図１４中、符号Ｆはフローリングを示し、符号Ｍは間仕切り壁を示し、符号Ｔは畳を示し、符号Ｒは襖レールを示し、符号ＰＥｉは洋室床パネル断熱材を示し、ＰＪｉ和室床パネル断熱材を示す。
【００７６】
以下、実施形態３の実施形態２と異なる点を中心に説明する。
【００７７】
鋼製束４は、上部に位置するに正方形状の合板からなる受け板４１と、束本体４３と、受け板４１の上面に配置され洋室床パネルＰＥの端部を支持する洋室床パネル支持部材８とを有するものとされる。
【００７８】
受け板４１および束本体４３は、実施形態２と同様とされている。
【００７９】
洋室床パネル支持部材８は、図１５に示すように、鋼板を階段状に折り曲げ成形してなるものであって、受け板４１上面に載置される下部水平板８１と、洋室床パネルＰＥの端部を支持する上部水平板８２と、上部水平板８２と下部水平板８１とを連結する垂直板８３とを含み、上部水平板８２の表裏両面に合板８４，８５が配置されてなるものとされる。
【００８０】
下部水平板８１は、中央部が所定形状、例えば変形八角形状に切り欠かれた切り欠き部８１ａを有し、受け板４１上面の円形台状部４１ｂと干渉しないようにされている。つまり、切り欠き部８１ａは円形台状部４１ｂを露出させる窓とされている。また、四隅には、洋室床パネル支持部材８を受け板４１にビス留めするための透孔８１ｂが形成されている。
【００８１】
上部水平板８２は、中間部が長方形状に切り欠かれてホーク状とされている。このホーク状とされた箇所には、上部水平板８２の表裏両面に配置された合板８４，８５をビス留めするための透孔８２ａが２個定間隔で形成されている。この上部水平板８２のレベルは、洋室床パネルのレベルがバリアフリーとなるよう調整されている。
【００８２】
しかして、この切り欠き部８２ｂを利用して洋室床パネルＰＥの端部が合板８４，８５にビス留めされる。
【００８３】
しかして、この実施形態３に係る間仕切り構造Ｋ２の施工は、実施形態２に係る間仕切り構造Ｋ１の施工と同様にしてなされる。
【００８４】
また、この実施形態３に係る間仕切り構造Ｋ２の作用・効果も実施形態２に係る間仕切り構造Ｋ１と同様である。
【００８５】
以上、本発明を実施形態に基づいて説明してきたが、本発明はかかる実施形態に限定されるものではなく、種々改変が可能である。
【００８６】
例えば、実施形態では、基礎はいわゆるべた基礎とされているが、耐力壁を設ける必要があり、そのため布基礎と連絡された中間基礎を従来の高さレベルで設ける場合には、中間基礎上の土台を省略し、胴４４の長さを短くした鋼製束４により耐力壁を受ける構成とすることができる。
【００８７】
しかして、かかる構成とすることにより、中間基礎が従来と同様に設けられていても、土台が設けられていないので、床パネルＰが土台により分断されることがない。そのため、床パネルＰを先行して切れ目なく配設することができる。つまり、床全面における床先行を実現することができる。
【００８８】
なお、中間基礎天端と耐力壁下端との間が狭く、第２連結板材３３を鋼製束４により受けることができない場合は、床下地板材３１を受けるようにする。
【産業上の利用可能性】
【００８９】
本発明は、パネル化工法よる床下地構造を有する間仕切り部に適用できる。
【図面の簡単な説明】
【００９０】
【図１】本発明の実施形態１に係る間仕切り構造の概略図である。
【図２】同実施形態における柱支持部材の二面図である。
【図３】同実施形態における独立柱周りの床パネルの配置の一例を示す平面図である。
【図４】同実施形態における独立柱周りの床パネルの配置の他の例を示す平面図である。
【図５】同実施形態における床パネルの四面図である。
【図６】本発明の実施形態２に係る間仕切り構造の要部概略図である。
【図７】同実施形態における鋼製束の正面図である。
【図８】同平面図である。
【図９】同底面図である。
【図１０】鋼製束の和室床パネル支持部材がセットされた状態の上部二面図である。
【図１１】同実施形態における和室床パネル支持部材の三面図である。
【図１２】同実施形態における土台側支持部材の四面図である。
【図１３】同実施形態における土台側支持部材の配置状態を示す二面図である。
【図１４】本発明の実施形態３に係る間仕切り構造の要部概略図である。
【図１５】同実施形態における洋室床パネル支持部材の三面図である。
【図１６】従来工法による床構造の二面図である。
【符号の説明】
【００９１】
１          独立柱
２          土台
４          鋼製束
５          和室床パネル支持部材
６          土台側受け部材
７          土台側断熱材
８          洋室床パネル支持部材
１０          柱支持部材
１１          主部
１４，１５    受け板
２０          独立基礎
Ｋ          間仕切り構造
Ｐ          床パネル
ＰＥ        洋室床パネル
ＰＪ        和室床パネル
ＭＳ          間仕切り部支持部
【図１】
2009263886.tif 000003
【図２】
2009263886.tif 000004
【図３】
2009263886.tif 000005
【図４】
2009263886.tif 000006
【図５】
2009263886.tif 000007
【図６】
2009263886.tif 000008
【図７】
2009263886.tif 000009
【図８】
2009263886.tif 000010
【図９】
2009263886.tif 000011
【図１０】
2009263886.tif 000012
【図１１】
2009263886.tif 000013
【図１２】
2009263886.tif 000014
【図１３】
2009263886.tif 000015
【図１４】
2009263886.tif 000016
【図１５】
2009263886.tif 000017
【図１６】
2009263886.tif 000018